(57)【特許請求の範囲】
【請求項１】
大径の第１筒状体及び前記第１筒状体の先端側に振出形式に連結された第２筒状体を有する柄部と、
前記柄部の先端側に脱着自在に連結された網枠部と、
前記第１筒状体の先端側端部内周に配置された第１滑動部材と、
前記第２筒状体の手元側端部外周に配置された第２滑動部材と
を備え、
前記第１滑動部材は、前記第１筒状体の先端側内周に周方向に間隔を隔てて配置される複数の球状体である、
玉網。
【請求項２】
前記第１筒状体は、先端側端部に装着されるリング状の補助部材を有し、前記第１滑動部材は前記補助部材に装着されている、請求項１に記載の玉網。
【請求項３】
前記第２滑動部材は、前記第２筒状体の手元側端部外周に周方向に間隔を隔てて配置される複数の球状体である、請求項１に記載の玉網。
【請求項４】
大径の第１筒状体及び前記第１筒状体の先端側に振出形式に連結された第２筒状体を有する柄部と、
前記柄部の先端側に脱着自在に連結された網枠部と、
前記第１筒状体の先端側端部内周に配置された第１滑動部材と、
前記第２筒状体の手元側端部外周に配置された第２滑動部材と
を備え、
前記第２滑動部材は、前記第２筒状体の手元側端部外周に周方向に間隔を隔てて配置される複数の球状体である、
玉網。
【請求項５】
前記第２筒状体の手元側端部に装着される底栓をさらに備え、前記第２滑動部材は前記底栓の外周面に配置されている、請求項３又は４に記載の玉網。
【請求項６】
大径の第１筒状体及び前記第１筒状体の先端側に振出形式に連結された第２筒状体を有する柄部と、
前記柄部の先端側に脱着自在に連結された網枠部と、
前記第１筒状体の先端側端部内周に配置された第１滑動部材と、
前記第２筒状体の手元側端部外周に配置された第２滑動部材と
を備え、
前記第１滑動部材は前記第１筒状体の先端側内周面に配置された金属製短筒であり、前記第２滑動部材は前記第２筒状体の手元側端部外周面に配置された金属製短筒であり、前記第２滑動部材は前記第１滑動部材に嵌着自在になっており、
前記第１滑動部材の内周面および／又は前記第２滑動部材の外周面には、軸方向に伸びる切溝が形成されている、
玉網。
【発明の詳細な説明】
【０００１】
【発明の属する技術分野】
本発明は魚釣りに用いる玉網に関する。
【０００２】
【従来の技術】
従来の玉網は、環状の枠部と、枠部の溝部に固定された袋状の網部と、枠部に連結された柄部とを有している。この柄部は、複数の筒状体を順次振出形式に連結してなるものであり、順次手元側の筒状体内に穂先側の筒状体が収納可能となっている。
【０００３】
この玉網は、収納時は柄部の筒状体を順次手元側に収納したコンパクトな状態としておく。そして、釣竿の仕掛けにかかった魚を釣り上げる際に、網側を差し出して順次の筒状体を穂先側に引き出し柄部を伸ばし、一本の長い柄部としてその先端に連結される網部に魚をすくい入れる。
【０００４】
【発明が解決しようとする課題】
このように、玉網は柄部を構成する筒状体を順次手元側の筒状体に収納しておき、魚を釣り上げる際に勢いをつけながら筒状体を振り出して柄部を引き延ばして使用する。そして、このような振出時には、一旦手元側に引き戻して反動をつけて先端側に筒状体を順次振り出すのが一般的である。
【０００５】
このように順次連結されている筒状体は手元側に順次収納可能とするために、手元側の筒状体と先端側筒状体とには当然に径差がある。このため、反動をつけて先端側に筒状体を順次振り出す際、手元側の筒状体の先端側内周縁に振り出されて行く先端側の筒状体外周面が順次接触し、筒状体相互の滑動速度を低下させると共に筒状体に不要な損傷をもたらすことにもなる。
【０００６】
また、従来の玉網の柄の筒状体を順次振り出して一本の柄部とする場合、操作中に不用意に筒状体が相互に動いてしまうと、玉網を扱いにくい。このため、竿元側の筒状体の先端側端部内周面とその穂先側の筒状体の手元側端部外周面とが相互に軽く嵌合するように、それぞれの径を調整している場合がある。
【０００７】
しかし、上述のように、一旦手元側に引き戻して反動をつけて先端側に筒状体を順次振り出すような作業を行う場合、筒状体同士の嵌着が強固になりすぎて各筒状体を嵌合するための部分が相互に摩耗し、また、相互に固着して外れなくなってしまうような場合もある。
【０００８】
本発明の課題は、素早く柄を伸ばすことが可能であるとともに、不要な損傷も防止できる玉網を提供することにある。
【０００９】
さらに、本発明の別の課題は、筒状体同士の固着を防止でき操作性に富む玉網を提供することにある。
【００１０】
【課題を解決するための手段】
発明１の玉網は、大径の第１筒状体及び第１筒状体の先端側に振出形式に連結された第２筒状体を有する柄部と、柄部の先端側に脱着自在に連結された網枠部と、第１筒状体の先端側端部内周に配置された第１滑動部材と、第２筒状体の手元側端部外周に配置された第２滑動部材とを備えている。そして、第１滑動部材は、第１筒状体の先端側内周に周方向に間隔を隔てて配置される複数の球状体である。
【００１１】
この玉網では、収納時においては先端側の第２筒状体を手元側の第１筒状体内に収納したコンパクトな状態としておく。なお、さらにその先端側に別の筒状体がある場合には順次同様に手元側の筒状体へと収納するものである。そして、魚釣りを行う際に、複数の筒状体を手元側に順次収納した状態から一旦手元側に引き戻して反動をつけて先端側に筒状体を振り出して柄を長く伸ばして魚を網枠部の網で受け止める。
【００１２】
この筒状体を手元側に一旦引き戻して反動をつけて先端側に振り出す際に、先端側へと振り出されて行く第２筒状体外周面が順次接触することになる第１筒状体の先端側内周縁には、複数の球状体である第１滑動部材が配置されており、この第１滑動部材が滑動速度の低下を防止すると共に筒状体どうしの不要な損傷をも抑えている。
【００１３】
また、この際に第２筒状体の竿元側端部外周面が第１筒状体の内周面にも接触するが、この第２筒状体の竿元側端部外周面にも第２滑動部材が配置されており、この第２滑動部材が第１滑動部材と同様に滑動速度の低下を防止すると共に筒状体どうしの不要な損傷をも抑える。
【００１４】
発明２の玉網は、発明１の玉網であって、第１筒状体は、先端側端部に装着されるリング状の補助部材を有している。そして、第１滑動部材は補助部材に装着されている。
【００１５】
この玉網では、補助部材に第１滑動部材が装着されており、補助部材を交換することで第１滑動部材を容易に交換可能であり、また、製造乃至第１筒状体への取り付けも容易である。
【００１６】
発明３の玉網は、発明１の玉網であって、第２滑動部材は、第２筒状体の手元側端部外周に周方向に間隔を隔てて配置される複数の球状体である。
【００１７】
この玉網では、所定位置に配置される複数の球状体が振り出し時に第１筒状体の内周面と主に接触し、滑動速度の低下を防止すると共に筒状体どうしの不要な損傷をも抑える。
【００１８】
発明４の玉網は、大径の第１筒状体及び第１筒状体の先端側に振出形式に連結された第２筒状体を有する柄部と、柄部の先端側に脱着自在に連結された網枠部と、第１筒状体の先端側端部内周に配置された第１滑動部材と、第２筒状体の手元側端部外周に配置された第２滑動部材とを備えている。そして、第２滑動部材は、第２筒状体の手元側端部外周に周方向に間隔を隔てて配置される複数の球状体である。
【００１９】
この玉網では、収納時においては先端側の第２筒状体を手元側の第１筒状体内に収納したコンパクトな状態としておく。なお、さらにその先端側に別の筒状体がある場合には順次同様に手元側の筒状体へと収納するものである。そして、魚釣りを行う際に、複数の筒状体を手元側に順次収納した状態から一旦手元側に引き戻して反動をつけて先端側に筒状体を振り出して柄を長く伸ばして魚を網枠部の網で受け止める。
【００２０】
この筒状体を手元側に一旦引き戻して反動をつけて先端側に振り出す際に、先端側へと振り出されて行く第２筒状体外周面が順次接触することになる第１筒状体の先端側内周縁には、第１滑動部材が配置されており、この第１滑動部材が滑動速度の低下を防止すると共に筒状体どうしの不要な損傷をも抑えている。
【００２１】
また、この際に第２筒状体の竿元側端部外周面が第１筒状体の内周面にも接触するが、この第２筒状体の竿元側端部外周面にも第２滑動部材が配置されており、複数の球状体であるこの第２滑動部材が第１滑動部材と同様に滑動速度の低下を防止すると共に筒状体どうしの不要な損傷をも抑える。
【００２２】
発明５の玉網は、発明３又は４の玉網であって、第２筒状体の手元側端部に装着される底栓をさらに備えている。そして、第２滑動部材は底栓の外周面に配置されている。
【００２３】
この玉網では、底栓に第２滑動部材が装着されており、底栓を交換することで第２滑動部材を容易に交換可能であり、また、製造乃至第２筒状体への取り付けも容易である。
【００２４】
発明６の玉網は、大径の第１筒状体及び第１筒状体の先端側に振出形式に連結された第２筒状体を有する柄部と、柄部の先端側に脱着自在に連結された網枠部と、第１筒状体の先端側端部内周に配置された第１滑動部材と、第２筒状体の手元側端部外周に配置された第２滑動部材とを備えている。第１滑動部材は第１筒状体の先端側内周面に配置された金属製短筒であり、第２滑動部材は第２筒状体の手元側端部外周面に配置された金属製短筒であり、第２滑動部材は第１滑動部材に嵌着自在になっている。また、第１滑動部材の内周面および／又は第２滑動部材の外周面には、軸方向に伸びる切溝が形成されている。
【００２５】
この玉網では、各筒状体を手元側に一旦引き戻して反動をつけて先端側に振り出す際に、先端側へと振り出されて行く第２筒状体の外周面が順次接触することになる第１筒状体の先端側内周縁には、金属製短筒が配置されており、この金属製短筒が滑動速度の低下を防止すると共に筒状体どうしの不要な損傷をも抑えている。さらに、第２筒状体の金属製短筒もまた、第１筒状体内周面との接触時の滑動速度の低下を防止すると共に筒状体どうしの不要な損傷をも抑える。
【００２６】
さらにまた、第２筒状体が第１筒状体の先端側に振り出された際には、第２筒状体の金属製短筒が第１筒状体の金属製短筒に嵌着し、不用意に筒状体が相互に動いて玉網の操作を阻害することがない。また、筒状体自体と別途形成する金属製短筒を相互に嵌着させるので、相互の径設定を比較的容易に為し得る。
【００２７】
また、この玉網では、第１滑動部材の内周面および／又は第２滑動部材の外周面に形成された切溝が、金属製短筒同士が嵌着する際の嵌着面積を低下させて、相互の固着を防止する。
【００２８】
【発明の実施の形態】
［第１実施形態］
本発明の第１実施形態を採用した玉網は、図１に示すように、環状の枠に網が取り付けられた網枠部１と、網枠部１に連結された柄部２とを有している。
【００２９】
網枠部１は、図１に示すように、ステンレス合金やチタン合金等からなる金属製線状部材を環状に折り曲げて形成した枠部分を、ナイロン繊維等からなる糸を網目状の編み込んでなる略円筒型の網の開口縁に通して、枠と網とを組み合わせた部分である。詳しくは、枠部分の両端部はそれぞれ外周方向に折り曲げられており、この折り曲げられた両端部が連結部５となっている。また、枠部分は環状の外周面に形成され外周方向に開口した溝部を有し、網の開口縁が係止されている金属製またはナイロン製の芯線がこの溝部に嵌入され締め付けられることで、網が枠部分に固定されている。
【００３０】
連結部５は後述の柄部２と脱着自在に連結するための部分であり、後述のように、例えば、枠部２の先端側内周面に雄ねじ部１５を内嵌して（図２参照）、連結部５に雌ねじ部を設けて相互に螺合させることで連結する方法等周知の連結方法を採用すればよい。
【００３１】
柄部２は、手元側から第１筒状体１１〜第４筒状体１４を順次振出形式に連結してなる部分である。各筒状体は、それぞれ炭素繊維等の強化繊維に合成樹脂を含浸させた繊維強化樹脂を芯材に巻回して焼成して製造する先細り筒状部材である。第４筒状体１４〜第２筒状体１２の竿元側端部外周面はそれぞれ嵌合雄部となっており、順次竿元側の筒状体の穂先側端部内周面に嵌合固定可能となっている。
【００３２】
図２に示すように、柄部２の最も手元側に位置する第１筒状体１１の先端側端部には短筒状の補助部材２０が脱着自在に装着されている。この補助部材２０は合成樹脂またはステンレス等の金属から構成される部材であって、竿元側内周面に雌ねじ部が形成され、第１筒状体１１の先端側端部外周面に螺合して固定されている。このようなねじ固定ではなく、嵌着固定などを採用してもよい。図３に詳しく示すように、補助部材２０の先端側の内周面には、周方向に間隔を隔てて複数の収納窪みが形成されており、この収納窪み内にはそれぞれボール２１が配置される。収納窪みはボール２１を保持可能に形成されており、径内方向にボール２１の一部が突出するように、例えばボール２１が無理ばめ等によって押し込まれている。このボール２１は収納窪み内で回転可能に配置してもよいが、接着剤などで固定してしまってもよい。ボール２１はセラミックスや金属などの硬質材から構成するのが好ましい。
【００３３】
また、第１筒状体１１の先端側に振出形式で連結される第２筒状体１２の手元側端部には底栓３０が脱着自在に装着されている。この底栓３０も合成樹脂またはステンレス等の金属から構成される部材であって、先端側外周面に雄ねじ部が形成され、第２筒状体１２の手元側端部内周面に螺合して固定されている。また、この底栓３０には軸方向に貫通する複数の貫通孔３０ａが形成されており、第１筒状体１２と外部との通気孔となっている。この底栓３０の外周面には、周方向に間隔を隔てて複数の収納窪みが形成されており、上述の補助部材２０と同様に、この収納窪み内にはそれぞれボール３１が配置される。
【００３４】
なお、ここでは、第１筒状体１１と第２筒状体１２とを例に説明しているが、同様の構成を他の筒状体に同様に適用することは当然に可能である。
【００３５】
この玉網では、収納時においては、先端側の第４筒状体１４から順次手元側の筒状体内に収納した柄部２をコンパクトな状態としておく。そして、魚釣りを行う際に、複数の筒状体を手元側に順次収納した状態から一旦手元側に引き戻して反動をつけて先端側に筒状体を振り出して柄部２を長く伸ばして魚を網枠部１の網で受け止める。
【００３６】
この各筒状体を反動をつけて先端側に振り出す際に、例えば、第２筒状体１２外周面が順次接触することになる第１筒状体１１の先端側に取り付けられた補助部材２０の内周縁には、複数のボール２１が配置されており、このボール２１が第２筒状体の滑動速度の低下を防止すると共に第１筒状体１１と第２筒状体１２との不要な損傷をも抑えることになる。ボール２１は周方向に間隔を隔てて配置されており、周方向での方向性を問うこともない。
【００３７】
また、この際に第２筒状体１２の竿元側端部に取り付けられる底栓３０が第１筒状体１１の内周面にも接触するが、この底栓３０の外周面にもボール３１が配置されており、このボール３１がボール２１と同様に滑動速度の低下を防止すると共に筒状体どうしの不要な損傷をも抑える。そして、これら補助部材２０又は底栓３０は、必要に応じて容易に交換可能である。
【００３８】
なお、この実施形態においては、補助部材２０及び底栓３０の双方にボール２１，３１を配置しているが、何れか一方のみを用いてもよい。
【００３９】
［第２実施形態］
以下、第２実施形態として、上記実施形態の変形例を説明する。
【００４０】
図５に示すように、第１筒状体１１の先端側に取り付ける補助部材２０の内周面に、セラミックスやステンレスなどの硬質部材からなる硬質リング２２をはめ込んでもよい。このような硬質リング２２も周方向性を問うことなく、筒状体の滑動速度の低下を抑え、不要な損傷も抑えることになる。
【００４１】
また、図６に示すように、硬質リング２３を直接第１筒状体１１の先端側端部周縁にはめ込んでもよい。この場合、第１筒状体１１と第２筒状体との嵌合性を維持するために、硬質リング２３と第１筒状体１１との内径は合致させるのが好ましい。
【００４２】
さらに、図７に示すように、第１筒状体１１の先端側端部内周面に、周方向に間隔を隔てつつ軸方向に伸びる溝１１ａを複数形成してもよい。このような、溝１１ａを形成することで、第１筒状体１１と第２筒状体との摩擦を低減させる。
【００４３】
さらにまた、第１筒状体１１の先端側端部内周面にテフロン樹脂などの潤滑性塗料を塗布して塗料層を形成し、この塗料層を滑動部材として用いることも考えられる。
【００４４】
［第３実施形態］
以下、本発明の第３実施形態を図面を参照しつつ説明する。
【００４５】
本発明の第３実施形態を採用した玉網も、第１実施形態と同様に、網枠部１及び柄部２を有している。そして、柄部２は、手元側から第１筒状体〜第４筒状体を順次振出形式に連結してなる部分である。
【００４６】
図８及び図９に示すように、柄部２の最も手元側に位置する第１筒状体５１の先端側端部内周面には、軸方向に一定の長さを有する短筒状の第１金属部材６０が接着剤等で固定されている。この第１金属部材６０はステンレス等の金属から構成される部材であって、その軸方向長さは凡そ１０〜４０ｍｍ程度である。この実施形態においては、第１筒状体５１にそのまま第１金属部材６０をはめ込んで固定しているが、例えば、第１筒状体５１の先端側端部内周面を削って内径を拡径させた切り欠き部分を形成して、ここに第１金属部材６０をはめ込んでもよい。また、第１筒状体５１をプリプレグ素材から焼成する際に、以下のようにして第１金属部材６０を第１筒状体５１に一体化させてもよい。即ち、芯材の穂先側端部外周面の一部を切り欠き、ここに第１金属部材６０をはめ込み、その外周にプリプレグを巻回して焼成し、芯材を引き抜いて第１筒状体５１を製造する。
【００４７】
一方、第１筒状体５１の先端側に振出形式で連結される第２筒状体５２の手元側端部の外周面には、第２金属部材６１が固定されている。この第２金属部材６１も第１金属部材６０と同様のものであり、且つ、その外径は凡そ上述の第１金属部材６０の内径に合致するように設定されている。なお、第１金属部材６０及び第２金属部材６１においては、相互に軸方向に先端側ほど径が小径化するテーパを施してもよい。さらに、この第２金属部材６１の第２筒状体５２への装着手法に関しても、上述の場合と同様であり、第２筒状体５２の手元側端部外周面を削って、ここに第２金属部材６１をはめ込んでもよい。
【００４８】
なお、ここでは、第１筒状体５１と第２筒状体５２とを例に説明しているが、同様の構成を他の筒状体に同様に適用することは当然に可能であり、その説明は省略する。
【００４９】
この玉網では、収納時においては、先端側の第４筒状体から順次手元側の筒状体内に収納した柄部２をコンパクトな状態としておく。そして、魚釣りを行う際に、複数の筒状体を手元側に順次収納した状態から一旦手元側に引き戻して反動をつけて先端側に筒状体を振り出して柄部２を長く伸ばして魚を網枠部１の網で受け止める。
【００５０】
この各筒状体を反動をつけて先端側に振り出す際に、例えば、第２筒状体５２の外周面が特に順次接触することになる第１筒状体５１の先端側内周面には、第１金属部材６０が配置されており、これが第２筒状体５２の滑動速度の低下を防止すると共に第１筒状体５１と第２筒状体５２との不要な損傷をも抑える（図８(ｂ)参照）。また、第１筒状体５１の内周面に特に順次接触することになる第２筒状体５２の手元側端部外周面にも第２金属部材６１が配置されており、第１金属部材６０と同様の作用を奏する。さらに、第２筒状体５２が第１筒状体５１の先端側に引き出された際には、この第２金属部材６１が第１金属部材６０に嵌着して、不用意に相互の竿体が軸方向に移動して玉網操作を阻害することもない（図８（ａ）参照）。
【００５１】
また、このように第１金属部材６０と第２金属部材６１とを相互に嵌着させるべく行う相互の径の調整は、各筒状体と別途成形する各金属部材間で行えるので、比較的容易である。
【００５２】
なお、図１０に示すように、第１金属部材の内周面に周方向に間隔を隔てて複数の切溝を軸方向に形成してもよく、同様に、第２金属部材の外周面に切溝を形成してもよい。このような切溝を設けておくことで、金属部材相互が嵌合する際の固着を防止できる。
【００５３】
【発明の効果】
本発明にかかる玉網によれば、素早く柄部を構成する筒状体を引き伸ばすことが可能であり、筒状体の損傷も防止できる。
【図面の簡単な説明】
【図１】  本発明の第１実施形態を採用した玉網の全体図。
【図２】  図１の柄部２の第１筒状体１１及び第２筒状体１２の関係図。
【図３】  図２の補助部材２０付近の拡大図。
【図４】  図２の底栓３０付近の拡大図。
【図５】  第２実施形態を採用した補助部材２０を示した図。
【図６】  第２実施形態を採用した第１筒状体１１の先端側断面図。
【図７】  第２実施形態を採用した第１筒状体１１の先端側断面図。
【図８】  第３実施形態を採用した第１筒状体５１及び第２筒状体５２の振り出した状態（ａ）及び、仕舞い込んだ状態（ｂ）をそれぞれ示した図。
【図９】  第３実施形態を採用した第１筒状体５１及び第２筒状体５２を示した斜視図。
【図１０】  第３実施形態の変形例を示した図。
【符号の説明】
１  網枠部
２  柄部
１１，５１  第１筒状体
１２，５２  第２筒状体
２０  補助部材
２１，３１  ボール
２２，２３  硬質リング
３０  底栓
６０  第１金属部材
６１  第２金属部材
【図１】
0003860757.tif 000002
【図２】
0003860757.tif 000003
【図３】
0003860757.tif 000004
【図４】
0003860757.tif 000005
【図５】
0003860757.tif 000006
【図６】
0003860757.tif 000007
【図７】
0003860757.tif 000008
【図８】
0003860757.tif 000009
【図９】
0003860757.tif 000010
【図１０】
0003860757.tif 000011